(57)【要約】      （修正有）【課題】一人でトランペット等を吹きながら、同時にもう一方の手で演奏出来る楽器を提供する。【解決手段】トランペット等の金管楽器と支持器で接続することで演奏姿勢が安定し、新しい楽器の演奏方法をトランペット等の操作方法に準じて容易にすることで、異なった二つの楽器の演奏を同時にしかも別々に出来る。【選択図】図１
2014232291.tif 000002
【特許請求の範囲】
【請求項１】
トランペット等の金管楽器と支持器で接続することで、二つの楽器が一体となり、両手で安定して支えることが出来ることから、一人でトランペットやフリューゲル・ホーン等を吹きながら、もう片方の手で同時に、しかも異なった演奏が出来る楽器。
【発明の詳細な説明】
【技術分野】
【０００１】  本発明は、一人でトランペット等の金管楽器を吹きつつ、同時に演奏出来る楽器に関するものである。
【背景技術】
【０００２】  一人でトランペットやフリューゲル・ホーンを吹きつつ、同時に片手で演奏出来る楽器で、基本的なキーの配列や操作方法はトランペットを真似て、二つの楽器の操作が煩雑になるのを避け、容易に演奏出来るようにし、それにアンプやスピーカーを組み合わせた。
【発明の開示】
【発明が解決しようとする課題】
【０００３】  トランペットやフリューゲル・ホーン等の金管楽器を吹くとき、普通は左手で楽器を持ちつつ右手でピストン又はバルブを操作する。つまり楽器の操作には右手の人差し指、中指、薬指の３本のみが活躍し、他の指や手は特には必要としない。と言うことは、トランペット等の楽器そのものが安定するのであれば、楽器を支える為に使っている左手、及び右手の親指と小指は他の目的の為に使うことが可能となる。そこで、その空いている左手で他の楽器を操作して、一人で同時に二つの楽器の演奏が出来るようにした。【０００４】  それには、二つの楽器の操作が煩雑になるのを避ける為、２６１ＨｚのミドルＣから５２３ＨｚのハイＣに至る範囲でのトランペットの指使いを模して、人差し指、中指、薬指の３本を使うことで、この楽器の基本的な操作方法とし、補完的に親指と小指を他の目的の為に使用する。【０００５】  口で吹くトランペット等の金管楽器は息、つまり空気の流れる速さによって、その音域が変わる。例えば、空気の流れる速さが２倍になれば１オクターブ上がり、４倍になれば２オクターブ上がるように、空気の流速の自乗に比例して音域が変えられる。【０００６】  このようにトランペットではピストンの位置が同じでも、吹き方である程度音域や音質が変えられる。ところが、この新しい楽器では、その方法は使えないので別の手段を講じなければならない。
【課題を解決する為の手段】
【０００７】  そこで、音域を変えるキーを別に設け、それを左手の親指で操作する。尤も、足が使える場合は同じセッティングで足用に拡大したキーを操作する。これらのキーは普段は連動しているが、任意に解除することも出来る。
【０００８】  音域を変えるキーはオクターブ・キーとドミナント・キーの２種類で、それぞれ２個の計４個とする。オクターブ・キーは１オクターブ全体の上げ下げが出来、同じキーを２回押せば２オクターブ移動する。ドミナント・キーはＣからＧｂまでと、ＧからＢまでの二つのグループの変換が出来る。
【０００９】  トランペット等はＢｂのものが多いので、ＣとＢｂとを変換出来るキーを備える。これは譜面上ではＣで扱っているものも、実際トランペットで吹く時はＢｂと見なしていることによる。それ故、Ｃの譜面をＣのまま演奏する時と、Ｂｂとして演奏する場合のどちらにも対応出来るようにする為である。であれば、同様にしてその他いろいろ対応しなければならないとも考えられるが、実際には大半の楽器がＢｂなので、操作が煩雑にならないようにＣとＢｂの二通りのみ変換出来るものとする。
【００１０】  基本のＣは１３０ＨｚのロウＣとする。それを１オクターブ上げると２６１ＨｚのミドルＣとなり、２オクターブ上げて５２３ＨｚのハイＣとなる。同様に、１オクターブ下げて６５ＨｚのＣ、２オクターブ下がれば３２ＨｚのＣとなる。
【００１１】  一般的には右手でトランペット等を操作し、左手でこの新しい楽器を操作する。さて、その左手の指の使い方であるが、それは、右手で操作するトランペット等の操作方法に準じる。トランペットを例にとると、２６１ＨｚのＣから５２３ＨｚのＣに至る範囲と同じ指使いをする。つまり、第一キーを人差し指で、第二キーを中指で、第三キーを薬指で操作する。もう少し詳しく説明すると、次のようになる。尚、１は第一キーを押した場合、同様にして２は第二キー、３は第三キーとする。０はどのキーも押していないことを表す。
【００１２】  Ｃは０、Ｄｂは１、２、３、Ｄは１、３、Ｅｂは２、３、Ｅは１、２、Ｆは１、Ｇｂは２、Ｇは０、Ａｂは２、３、Ａは１、２、Ｂｂは１、Ｂは２となる。尚、０はタッチしないことを表しているが、これでは分かり辛いので表にしてみる。
【００１３】  指で押さえるキーはそれぞれの音色や音階を組み立てる信号を出す為のスイッチで、それらを卵形、つまり片側が少しすぼまった楕円形の外周上に配置する。その卵形の内側には信号をアンプ部に送る為の発信器と、メインの楽器であるトランペット等に取り付ける支持器具とがある。その支持器具はトランペット等の３連のピストン部分に取り付け、任意に脱着可能とする。また、左手の人差し指、中指、薬指で操作する３個のキーも、親指や小指を使って操作する２個のキーも、限られた範囲内とはいえ自由にスライドして任意の位置で固定できる。
【００１４】  物に少し触れるだけで反応しては拙いので、誤操作を防止する為にキーは３ミリ出っ張っていて、タッチもパソコンのキーボードよりやや重くする。親指で操作する４個のキーが配置してあるので、この部分は他のキーの部分の幅より広げてある。また、その部分は操作がし易いように、指休めの部分を中心にして４５度の範囲内であれば、奏者の好みに応じて位置を自由に回転させ、固定することが出来る。
【００１５】  このように、卵型の枠は親指の部分のみ他の部分より倍の幅になっているが、それは、オクターブごと上下する変換キー及び、ドミナントごとに上下するキーの各２個ずつ、計４個のキーを収める為である。また、小指の横には異なった音質が選べる６個のキーが並んでいる。このキーはアンプ内にある１００種類程度の異なった音質から任意に選んだもので、曲に合わせその都度自由に選択出来、操作が煩雑になるのを避けるためである。
【００１６】  キー本体をトランペット等に接続するシャフトはアルミ製で、肉厚のある口径１６ミリの中空丸棒とし、その長さは１２０ミリ乃至１５０ミリで、両端はそれぞれを接続する為に細工がしてある。それは、キー本体に接続する先端には雄ねじが切ってあり、それをキー本体の雌ねじ部分に取り付ける。トランペット等に取り付ける先端は、女性の髪ばさみ或は洗濯ばさみのような形をしたものが有り、それでトランペット等の３連のピストン又はバルブを挟んで固定する。勿論、取り外しも容易に出来る。その取り付け部分は全体をプラスチック等でコーティングしてあり、更に、先端部分内側はピストン等を傷付けないように、またパッキングの役目も兼ねてフェルト等が貼ってある。
【００１７】  この卵形キー本体が手からこぼれ落ちないように、また操作する指の邪魔をしないように、柔らかく丈夫な布ベルトで手の甲、親指、そして小指を軽く押さえ、しかもフィットさせる。これらのベルトは両端を「マジック・テープ」で止める。勿論、これらも任意に脱着可能でる。
【００１８】  発信器、送信器、アンプ、スピーカーはそれぞれ安価で高性能なものが容易に手に入るので、それら既製の品を借用又は転用する。
【００１９】  アンプの出力は、小さな部屋で比較的小音量で使う時は６Ｗ、やや大きな部屋で使う場合は２０Ｗとし、ホール等で使用する時は５０Ｗとする。電源は家庭用の１００ボルトの交流をアンプ内で直流に変換して使う。小さな出力のアンプには６Ｖの電池やＵＳＢの５Ｖでも使えるようにすると便利である。また、それぞれのアンプにはヘッドホーンも使えるようにする。
【００２０】  アンプは発信器からの信号を受け、増幅し、音質を変換するが、１００種類程の異なった音質があり、その中から目的の音質を、奏者が演奏中でも選び出すことが出来る。
【００２１】  スピーカーは小さな部屋で比較的小音量の時は口径１００ミリ、比較的大きな部屋で使用する場合は２５０ミリに高域用として６０ミリを組み、ホール等で使用する場合は３８０ミリに６０ミリを２個並列にして使用する。再生帯域は、１００ミリではｆｏから８０００Ｈｚ、２５０ミリ及び３８０ミリの組み合わせでは、ｆｏから１２０００Ｈｚとし、１００ミリのｆｏは１００Ｈｚ、２５０ミリ及び３８０ミリではどちらも２５Ｈｚとする
【００２２】  ２５Ｈｚのｆｏは３８０ミリでは問題ないが、２５０ミリではかなり厳しい条件となる。更に、１００ミリのスピーカーをそのまま使っても低音は大して期待出来ないし、そればかりか場合によっては大入力の低音でスピーカーを壊しかねない。そこでミッシング・ファンダメンタルの活用が必要となる。
【００２３】  ６０ミリの高音用を使用する時は、クロス・オーバーの周波数として、２５０ミリでは１２００Ｈｚ、３８０ミリでは９００Ｈｚとし、どちらも高音用の低域をオクターブあたり１２ｄｂで落とす。低音用の高域は１２ｄｂでなく、場合によっては６ｄｂでだらだら落としても良い。
【００２４】  音圧は１ワットの入力、１メートルの地点で口径１００ミリでは８６デシベル以上、同じく２５０ミリでは９４デシベル、３８０ミリでは９８デシベル有ることが望ましい。それらを収める箱は、一般的な密閉型か位相反転型とし、材質は入手が容易な合板とする。
【発明の効果】
【００２５】  トランペット等の金管楽器と支持器で接続することにより、二つの楽器が一体となり、両手で安定して支えることが出来るので、一人でトランペットやフリューゲル・ホーン等を吹きながら、もう一方の手で同時に、しかも別々に、かつ容易に演奏出来る。
【発明を実施するための最良の形態】
【００２６】  一人でトランペットやフリューゲル・ホーンを吹きながら、もう片方の手でこの楽器をを操作して、同時に二つの楽器の演奏が出来るようにしたキー本体と、アンプやスピーカーとを組み合わせたものからなる楽器。【００２７】  一人でトランペット等の金管楽器を吹きながら、同時にもう一方の手で演奏出来るように、キーの配列や操作方法をトランペットに模して、煩雑になるのを避けた楽器で、その外観は何処ででも見かけるハンバーグのような、或は卵を対称軸に沿って二つに切り分けた切り口のような形をしている。その「ハンバーグ」の側面に５つのキーが並び、平面に音質やその他の補助となるキー、オン・オフ用スイッチ等が付いている。【００２８】  二つの楽器の操作が煩雑になるのを避ける為に、ミドルＣからハイＣまでのトランペットでの指使いと同じにし、この楽器の基本的な操作方法とした。尤も、口を使って音域を変えられる金管楽器と異なり、補完的に左手の親指と小指を使って音域や音質を変える。また、足が使える場合は、左手と同じセッティングで操作出来るものとする。【００２９】  このトランペットの指使いと言うのは、２６１ＨｚのＣから５２３ＨｚのＣに至る範囲での人差し指、中指、薬指の操作方法のことで、それぞれ第一キー、第二キー、第三キーのピストン又はバルブを操作する。オクターブ全体が上がっても、下がっても、３本の指使いは同じで、その点ではトランペット等と異なる。その操作を補う為に、この新しい楽器では親指を使う。【００３０】  指で押さえるキーは、それぞれの音階を組み立てる信号を出すスイッチで、それらは卵形、つまり片側が少しすぼまった楕円形の外周上に配置する。その内側には、その信号を発信する発信器と、元々の楽器であるトランペット等に取り付ける支持器具がある。その支持器具はトランペット等の３連のピストン部分に取り付ける。この脱着は容易に出来るものとする。また、３個の連なったキーも、補助に使う他の２つのキーも、決められた範囲内では自由にスライド出来る。【００３１】  キー本体をトランペット等に接続するシャフトはアルミ製で、肉厚のある口径１６ミリの中空丸棒とし、その長さは１２０ミリ乃至１５０ミリで、両端はそれぞれを接続する為に細工がしてある。それは、キー本体に接続する先端には雄ねじが切ってあり、それをキー本体の雌ねじ部分に取り付ける。トランペット等に取り付ける先端は、女性の髪ばさみ或は洗濯ばさみのような形をしたものが有り、それでトランペット等の３連のピストン又はバルブを挟んで固定する。勿論、取り外しも容易に出来る。その取り付け部分は全体をプラスチック等でコーティングしてあり、更に、先端部分内側はピストン等を傷付けないように、またパッキングの役目も兼ねてフェルト等が貼ってある。【００３２】  この卵形キー本体が手からこぼれ落ちないように、また操作する指の邪魔をしないように、柔らかく丈夫な布ベルトで手の甲、親指、そして小指を軽く押さえ、しかもフィットさせる。これらのベルトは両端を「マジック・テープ」で止める。勿論、これらも任意に脱着可能でる。【００３３】  音叉のような純粋な音を作るのではなく、サンプリングを活用した、実際の楽器のような耳によく馴染んだ音造り��したい。現在の技術では１００種類程度の異なった音造りは容易に出来るが、それはアンプ内に保存しておき、操作が煩雑になるのを避ける意味で、演奏には任意に６種類の音を、奏者がその都度選ぶことにする。【００３４】  電気的処理だけで事足りる発信器、送信器、アンプ等と違い、スピーカーは機械的な部分が大きな比重を占めるので、その性能にはメーカーにより大きなばらつきが有ることに留意する。その上で、特に口径の小さいスピーカーを使用する時はミッシング・ファンダメンタルを活用して、低音がいかにもそれらしく出ているように工夫する。【００３５】  小さな部屋で比較的小音量で聴く時は、口径１００ミリ程度のスピーカーを使用する。しかし小口径のスピーカーでは低音が聞き取り辛いか、或は実際に音として低音が出ていない。そのような場合に無理矢理低音を出そうとすれば、スピーカーの負担は大きくなるばかりでなく、ことによると破損しかねない。そこで人の耳というか、脳の錯覚を積極的に利用したい。それには、ミッシング・ファンダメンタルを活用し、アンプやスピーカーを巧く働かせることで、この問題を解決する。この等差数列のご利益でスピーカーに大きな負担をかけることなく、心地良い低音が出てくる、或はそのように感じられる。【００３６】  普通はド、レ、ミと言い、ドよりレ、ミと上に上がっていくので、この表ではＣを一番下に持ってきて、Ｂを最も上にした。
Ｂ            ２、      ６２Ｈｚ  １２３Ｈｚ  ２４７Ｈｚ  ４９４Ｈｚ  ９８８Ｈｚ
Ｂｂ      １、          ５８      １１６      ２３３      ４６６      ９３２
Ａ        １、２、      ５５      １１０      ２２０      ４４０      ８８０
Ａｂ          ２、３、  ５２      １０４      ２０８      ４１５      ８３１
Ｇ    ０、              ４９        ９８      １９６      ３９２      ７８４
Ｇｂ          ２、      ４６        ９２      １８５      ３７０      ７４０
Ｆ        １、          ４４        ８７      １７５      ３４９      ６９８
Ｅ        １、２、      ４１        ８２      １６５      ３３０      ６５９
Ｅｂ          ２、３、  ３９        ７８      １５６      ３１１      ６２２
Ｄ        １、    ３、  ３７        ７３      １４７      ２９４      ５８７
Ｄｂ      １、２、３、  ３５        ６９      １３９      ２７７      ５５４
Ｃ    ０、              ３３        ６５      １３１      ２６２      ５２３
【図面の簡単な説明】
【００３７】
【図１】  片手で演奏出来る楽器のキー部分本体。
【図２】  二つの楽器を接続する支持器。
【符号の説明】
【００３８】１              片手で演奏出来る楽器のキー部分本体
２              第一キー
３              第二キー
４              第三キー
５              親指で操作するオクターブ・キー
６              親指で操作するドミナント・キー
７              指休め（ニュートラル）
８              小指で操作するＣとＢｂとの変換キー
９              任意に選んだ６種類の異なった音色
１０            １００種類の異なった音色を選ぶ為のキー
１１            Ｃ、Ｂｂの変換キー及び音色選択キーを任意に固定する保護用スイッチ
１２            ジャイロ式角度調整器と固定用蝶ネジ
１３            二つの楽器を接続する為のアルミ棒
１４            接続する為の雄ねじ
１５            接続する為の「洗濯ばさみ」
１６            布ベルト
１７            「マジック・テープ」
【図１】
2014232291.tif 000003
【図２】
2014232291.tif 000004